(57)【要約】【課題】電子機器において、機器本体を覆うべき外装シートが薄い場合においても、外装シートを対象物に貼着固定したときに、外装シートに波打ちや凹凸を生じることのない外装構造を提供する。【解決手段】本発明に係る電子機器の外装構造は、機器本体の表面に外装シート７を貼着固定してなり、機器本体の表面には、外装シート７の外形と同一の外形を有して外装シート７によって覆われるべき被外装領域が形成されており、外装シート７は、中央領域と、該中央領域を包囲する外周領域とから構成され、外装シート７の中央領域のみが両面粘着テープ８によって前記被外装領域に貼着固定されている。【選択図】図３
2011137851.tif 000002
【特許請求の範囲】
【請求項１】
機器本体の表面に外装シートを貼着固定してなる電子機器の外装構造において、機器本体の表面には、外装シートの外形と同一の外形を有して外装シートによって覆われるべき被外装領域が形成されており、外装シートは、中央領域と、該中央領域を包囲する外周領域とから構成され、外装シートの中央領域のみが前記被外装領域に貼着固定されていることを特徴とする電子機器の外装構造。
【請求項２】
前記機器本体は、前記被外装領域の中央部に位置する中央部品と、該中央部品の周囲に配置された１或いは複数の周辺部品とを具え、該中央部品と周辺部品の表面によって前記被外装領域が形成されており、外装シートの中央領域が中央部品の表面に貼着固定される一方、外装シートの外周領域は、周辺部品の表面に接着されていない請求項１に記載の外装構造。
【請求項３】
外装シートは両面粘着テープによって機器本体の被外装領域に貼着固定され、該両面粘着テープの厚さに応じて、外装シートの外周領域と周辺部品の表面との間にギャップが形成されている請求項２に記載の外装構造。
【請求項４】
機器本体の表面に外装シートを貼着固定してなる電子機器の外装構造において、機器本体の表面には、外装シートの外形と同一の外形を有して外装シートによって覆われるべき被外装領域が形成されており、該被外装領域は、複数の部品の表面によって構成されており、外装シートは、前記複数の部品に含まれる１つの部品の表面にのみ貼着固定されていることを特徴とする電子機器の外装構造。
【請求項５】
前記複数の部品の中で、前記１つの部品は、その表面の面積が最大である請求項４に記載の外装構造。
【発明の詳細な説明】
【技術分野】
【０００１】
本発明は、カメラ等の電子機器において、機器本体の表面に外装シートを貼着してなる外装構造に関するものである。
【背景技術】
【０００２】
従来、この種の外装構造において、硬質プラスチック製の厚さ０.５〜３ｍｍの化粧シートを対象物に貼着する際に、対象物及び化粧シートのうちの何れか一方の貼着面の一部に両面粘着テープを貼り付けると共に、対象物及び化粧シートのうちの何れか一方の貼着面に接着剤を塗布した後、対象物の貼着面と化粧シートの貼着面とを貼り合わせて両者を一体化する方法が提案されている(特許文献１)。
【先行技術文献】
【特許文献】
【０００３】
【特許文献１】特開２０００−１９１９８６号公報
【発明の概要】
【発明が解決しようとする課題】
【０００４】
しかしながら、従来の外装構造においては、化粧シートが例えば０.２ｍｍ以下と極めて薄い場合、化粧シートを対象物に貼着固定したときに、化粧シートに波打ちや凹凸を生じ、外観上の問題が生じていた。
特に、対象物の表面が複数部品の表面によって形成されている場合、これらの部品の表面には僅かながらも段差が存在するため、上記の問題が顕著となる。
【０００５】
そこで本発明の目的は、外装シートが薄い場合においても、外装シートを対象物に貼着固定したときに、外装シートに波打ちや凹凸を生じることのない外装構造を提供することである。
【課題を解決するための手段】
【０００６】
本発明に係る外装構造は、機器本体の表面に外装シートを貼着固定してなるものであって、機器本体の表面には、外装シートの外形と同一の外形を有して外装シートによって覆われるべき被外装領域が形成されており、外装シートは、中央領域と、該中央領域を包囲する外周領域とから構成され、外装シートの中央領域のみが前記被外装領域に貼着固定されている。
【０００７】
本発明に係る外装構造によれば、外装シートの外周部分は被外装領域の外周領域には貼着固定されていないので、外装シートの外周部分は、シート自体が有している一平面性を発揮して、外向きに自由に伸張し、被外装領域の外周領域を覆うことになる。この結果、外装シートに波打ちや凹凸が生じることはない。
これに対し、従来の外装構造においては、外装シートの外周部分が被外装領域の外周領域に貼着固定されていたので、シート自体が有している一平面性の発揮が阻害されて、波打ちや凹凸が生じていたのである。
【０００８】
具体的態様において、前記機器本体は、前記被外装領域の中央部に位置する中央部品と、該中央部品の周囲に配置された１或いは複数の周辺部品とを具え、該中央部品と周辺部品の表面によって前記被外装領域が形成されており、外装シートの中央領域が中央部品の表面に貼着固定される一方、外装シートの外周領域は、周辺部品の表面に接着されていない。
【０００９】
該具体的態様によれば、中央部品の表面と周辺部品の表面との間に僅かな段差があったとしても、外装シートの外周部分は周辺部品の表面には貼着固定されていないので、自由に伸張して、周辺部品の表面を覆うことになる。
【００１０】
更に具体的な態様において、外装シートは両面粘着テープによって機器本体の被外装領域に貼着固定され、該両面粘着テープの厚さに応じて、外装シートの外周領域と周辺部品の表面との間にギャップが形成されている。
該具体的態様によれば、中央部品の表面よりも周辺部品の表面が僅かに高い段差が存在する場合であっても、外装シートの外周領域と周辺部品の表面との間に形成されるべきギャップが段差を吸収するので、外装シートの外周部分は、中央部分との間で一平面性を保ったまま自由に伸張して、周辺部品の表面を覆うことになる。
【００１１】
本発明に係る他の外装構造は、機器本体の表面に外装シートを貼着固定してなり、機器本体の表面には、外装シートの外形と同一の外形を有して外装シートによって覆われるべき被外装領域が形成されており、該被外装領域は、複数の部品の表面によって構成されており、外装シートは、前記複数の部品に含まれる１つの部品の表面にのみ貼着固定されている。
【００１２】
本発明に係る他の外装構造によれば、複数の部品の表面の間に僅かな段差があったとしても、外装シートは、１つの部品の表面にのみ貼着固定されており、他の部品の表面には貼着固定されていないので、外装シートは、他の部品の表面を覆う領域が自由に伸張して、他の部品の表面を覆うことになる。
【発明の効果】
【００１３】
本発明に係る電子機器の外装構造によれば、外装シートが薄い場合においても、外装シートを対象物に貼着固定したときに、外装シートに波打ちや凹凸を生じることはない。
【図面の簡単な説明】
【００１４】
【図１】図１は、本発明の一実施形態であるビデオカメラの斜視図である。
【図２】図２は、該ビデオカメラにおいて第２筐体を開いて外装シートを露出させた状態を示す斜視図である。
【図３】図３は、第１筐体の被外装領域に外装シートを貼着固定する工程を説明する斜視図である。
【図４】図４は、外装シートの貼着領域を示す斜視図である。
【図５】図５は、第１筐体から釦ホルダー、電源釦及び再生釦を分解した状態を示す斜視図である。
【図６】図６は、第１筐体から化粧カバーを分解した状態を示す斜視図である。
【発明を実施するための形態】
【００１５】
以下、本発明を静止画及び動画の撮影が可能なビデオカメラに実施した形態につき、図面に沿って具体的に説明する。
本発明の一実施態様であるビデオカメラは、図１及び図２に示す如く、第１筐体(１)と第２筐体(２)を具え、両筐体(１)(２)は２軸ヒンジ機構(３)によって互いに開閉可能に連結されおり、図１に示す閉じ状態と図２に示す開き状態を設定することが可能である。
【００１６】
第１筐体(１)には、その前部に撮影レンズ(11)が配備され、第２筐体(２)には、その内面に液晶ディスプレイ(21)が配備されている。
又、第１筐体(１)の後部には、動画撮影釦(14)と静止画撮影釦(15)が配備されると共に、第１筐体(１)の前部にも、動画撮影釦(12)と静止画撮影釦(13)が配備されている。これによって、ユーザは、ハイアングルでの撮影時には後方の動画撮影釦(14)及び静止画撮影釦(15)を操作し、ローアングルでの撮影時には前方の動画撮影釦(12)及び静止画撮影釦(13)を操作することが出来る。
更に、第１筐体(１)の側面には、閉じ状態の第２筐体(２)によって覆われることとなる領域に、電源釦(16)と再生釦(17)が配備されている。
【００１７】
第１筐体(１)の内部には、図５に示す本体機構部(５)が収容されており、該本体機構部(５)の側面はアルミニウム製の金属板(51)によって覆われている。該金属板(51)は、本体機構部(５)の熱を放散させるヒートシンクの機能を発揮する。
【００１８】
図１及び図２に示す様に、第１筐体(１)の側部には、第２筐体(２)の閉じ状態で該第２筐体(２)の外周部の全周に沿って延びる枠体状の化粧カバー(６)が設置されている。
化粧カバー(６)は、ＡＢＳ樹脂の一体成型によって形成されており、その表面には、三価クロムメッキが施されている。これによって、化粧カバー(６)には、ポリカーボネート製の第１筐体(１)とは異なる質感が与えられている。
【００１９】
化粧カバー(６)は、図１及び図６に示すように、２軸ヒンジ機構(３)を収容すべき凹部(60)が形成されて閉じ状態の第２筐体(２)の１辺に沿って延びる第１カバー部(6a)と、閉じ状態の第２筐体(２)によって覆われるべき第１筐体(１)の側面領域の外周部に重なって該第２筐体(２)の他の３辺に沿って延びる第２カバー部(6b)とから構成されており、第２筐体(２)よりも稍小さな中央開口(61)を有している。
【００２０】
化粧カバー(６)には、図６に示す如く、第１カバー部(6a)及び第２カバー部(6b)に沿って、複数の舌片(62)が配設されており、これらの舌片(62)がビスを用いて第１筐体(１)に締結される。
【００２１】
本体機構部(５)の側部には、図５に示す如く、２つのスイッチ部(52)(53)が配備されており、これらのスイッチ部(52)(53)はそれぞれ電源釦(16)及び再生釦(17)の押下操作によってオンとなる。
電源釦(16)及び再生釦(17)は釦ホルダー(４)によって保持されている。釦ホルダー(４)は、エラストマー製であって、電源釦(16)及び再生釦(17)の頭部が臨出すべき２つの開口(42)(43)が形成されている。又、釦ホルダー(４)の表面の端部には、第２筐体(２)の背面を受け止めるためのストッパー(41)が一体成型により突設されている。
【００２２】
図３に示す如く、第１筐体(１)に配備されている金属板(51)は、ＰＥＴ製の外装シート(７)によって覆われている。外装シート(７)の表面には光沢を与える表面処理が施されている。外装シート(７)は、厚さ０.１８８ｍｍであって、電源釦(16)及び再生釦(17)の頭部が臨出すべき第１開口部(71)と、釦ホルダー(４)が臨出すべき第２開口部(72)とが形成されている。
【００２３】
図６に示す如く、化粧カバー(６)には、中央開口(61)を包囲して、段差部(63)が凹設されており、図３に示す如く第１筐体(１)に取り付けられた状態では、金属板(51)の表面と化粧カバー(６)の段差部(63)の表面とが一平面に揃うことになる。
【００２４】
図３の如く、外装シート(７)は、厚さ０.１３ｍｍの第１粘着テープ(81)と第２粘着テープ(82)からなる２枚の両面粘着テープ(８)によって金属板(51)の表面に貼着固定される。
ここで、外装シート(７)は、金属板(51)の外形と略同じ外形を有して金属板(51)の表面を覆うべき中央領域と、化粧カバー(６)の段差部(63)の外形と同じ外形を有して段差部(63)の表面を覆うべき外周領域とから構成され、図４に示す様に、外装シート(７)の内面には、中央領域に、前記第１粘着テープ(81)及び第２粘着テープ(82)の粘着面がそれぞれ貼着されるべき第１貼着領域(73)と第２貼着領域(74)が形成され、外周領域には、両面粘着テープが貼着されることのない非貼着領域(70)が形成されている。
尚、金属板(51)の表面は、化粧カバー(６)の段差部(63)の表面の面積よりも十分に大きな面積を有している。
【００２５】
外装シート(７)の第１貼着領域(73)と第２貼着領域(74)は、第１粘着テープ(81)と第２粘着テープ(82)によって、図３に示す金属板(51)の表面に貼着される。
【００２６】
この様にして、外装シート(７)の中央領域(第１貼着領域(73)及び第２貼着領域(74))が金属板(51)の表面に貼着固定される一方、外装シート(７)の外周領域(非貼着領域(70))は、化粧カバー(６)の段差部(63)を単に覆うに過ぎず、段差部(63)の表面に貼着されることはない。
ここで、金属板(51)の表面と化粧カバー(６)の段差部(63)の表面とが正確に一平面に揃っている場合には、外装シート(７)の外周領域と化粧カバー(６)の段差部(63)の表面との間には、両面粘着テープ(８)の厚さに応じたギャップが形成されることになる。
【００２７】
上記ビデオカメラにおいては、外装シート(７)の外周部分は化粧カバー(６)の段差部(63)の表面には貼着固定されていないので、金属板(51)の表面と化粧カバー(６)の段差部(63)の表面との間に僅かな段差が存在していたとしても、外装シート(７)の外周部分は、シート自体が有している一平面性を発揮して、外向きに自由に伸張し、段差部(63)の表面を覆うことになる。従って、外装シート(７)に波打ちや凹凸が生じることはない。
【００２８】
特に、金属板(51)の表面よりも化粧カバー(６)の段差部(63)の表面が僅かに高い段差が存在する場合であっても、外装シート(７)は、その中央部分が金属板(51)の表面に貼着された状態で、両面粘着テープ(８)の厚さ分だけ金属板(51)の表面から持ち上げられるので、外装シート(７)の外周部分は、中央部分との間で一平面性を保ったまま自由に伸張して、金属板(51)の表面を覆うことになる。従って、外装シート(７)に波打ちや凹凸が生じることはない。
よって、外装シート(７)の表面を光沢のある面に仕上げて、外装シート(７)を装飾部品として用いる場合であっても、外観は良好なものとなる。
【００２９】
尚、外装シート(７)の第１貼着領域(73)及び第２貼着領域(74)の内、釦ホルダー(４)の外周部を覆うこととなる領域は、必要に応じて両面粘着テープ(８)によって釦ホルダー(４)の外周部に貼着固定されるが、この貼着領域は、外装シート(７)によって覆われるべき被外装領域の外周縁よりも内側であり、僅かな貼着面積に過ぎないため、金属板(51)の表面と釦ホルダー(４)の表面との間に僅かな段差が存在していたとしても、両面粘着テープ(８)の波打ちや凹凸の原因とはならない。
【００３０】
本発明の各部構成は上記実施の形態に限らず、特許請求の範囲に記載の技術的範囲内で種々の変形が可能である。例えば本発明の外装構造は、複数部品の表面を外装シートによって覆う場合に限らず、単一部品の表面を外装シートによって覆う場合にも有効である。
又、上記実施形態では、図４に示す様に、外装シート(７)の外周領域の全周が非貼着領域(70)となっているが、外周領域の一部を貼着領域として、被外装領域に貼着固定することも可能であり、この場合にも外周領域の大部分が非貼着領域となって同様の効果が得られる。
【符号の説明】
【００３１】
(１)  第１筐体
(２)  第２筐体
(５)  本体機構部
(51)  金属板
(６)  化粧カバー
(63)  段差部
(７)  外装シート
(71)  第１開口部
(72)  第２開口部
(73)  第１貼着領域
(74)  第２貼着領域
(70)  非貼着領域
(８)  両面粘着テープ
【図１】
2011137851.tif 000003
【図２】
2011137851.tif 000004
【図３】
2011137851.tif 000005
【図４】
2011137851.tif 000006
【図５】
2011137851.tif 000007
【図６】
2011137851.tif 000008